(57)【要約】【課題】この発明は、消火用ノズルおよび開閉弁用の操作部とホースバケットの消火栓本体内での配置を工夫して、消火栓本体の幅寸法を変えることなくホースバケットの幅寸法を大きくできるようにし、消火栓本体の奥行き寸法の縮小を図り、据え付けコストを低減できる消火栓装置を得る。【解決手段】消火栓本体１１は、前面パネル１３に取り付けられて消火用ホース１５の収納スペースを開閉する消火栓扉１８を備え、消火用ホース１５の先端に装着された消火用ノズル１５ａと操作部４１が、奥行き方向から見て、ホースバケット１６に内巻き式に収納された消火用ホース１５の内側に位置するように、消火栓扉１８の裏面に取り付けられている。【選択図】図１
2014217646.tif 000002
【特許請求の範囲】
【請求項１】
前面に開口する箱体および上記箱体の前面開口を塞口する前面パネルを備え、ホースバケットに内巻き式に収納された消火用ホースが収納された消火栓本体と、
上記消火栓本体外に設けられる配水本管の分岐部に配設され、開閉弁を内蔵する消火栓弁ユニットと、
上記消火栓弁ユニットと上記消火用ホースを接続する消火用水の供給配管と、
上記消火栓本体内に配設され、上記開閉弁を開閉するために操作される操作部と、を備えた消火栓装置において、
上記消火栓本体は、上記前面パネルに取り付けられて上記消火用ホースの収納スペースを開閉する消火栓扉を備え、
上記消火用ホースの先端に装着された消火用ノズルと上記操作部が、奥行き方向から見て、上記ホースバケットに内巻き式に収納された上記消火用ホースの内側に位置するように、上記消火栓扉の裏面に取り付けられていることを特徴とする消火栓装置。
【請求項２】
上記消火栓本体は、上記消火用ホースおよび消火器が幅方向に並んで収納され、上記前面パネルに取り付けられて上記消火器の収納スペースを開閉する消火器扉を備え、
膨出部が上記消火器扉の一部に形成され、上記消火器の胴部の上記消火栓本体の奥行き方向の前方に位置する部分が、上記膨出部内に収められていることを特徴とする請求項１記載の消火栓装置。
【請求項３】
上記膨出部が、外側から上記消火器を目視確認できるように構成されていることを特徴とする請求項２記載の消火栓装置。
【請求項４】
窓部が上記消火栓扉の一部に形成され、上記窓部が、外部から上記消火用ノズルと上記操作部を目視確認できるように構成されていることを特徴とする請求項１から請求項３のいずれか１項に記載の消火栓装置。
【発明の詳細な説明】
【技術分野】
【０００１】
この発明は、例えば高速自動車道等のトンネルに設置されて火災時に本体内部の消火用ホースを引き出して消火を行う消火栓装置に関するものである。
【背景技術】
【０００２】
例えば特許文献１に記載の従来の消火栓装置は、放水設備がトンネルの側壁凹部に設置された消火栓箱に収納され、トンネル内に形成された側溝内に敷設された配水本管から分岐管により分岐された消火用水が接続配管、開閉弁および供給配管を経て、放水設備のホースに供給されるようになっている。そして、開閉弁は、消火栓箱から離れた、配水本管が敷設されている側溝内に収納され、直接の操作が困難となるので、消火栓箱の近くで開閉操作するための遠隔開閉手段が設けられていた。
【先行技術文献】
【特許文献】
【０００３】
【特許文献１】特開２０１０−２２７４５６号公報
【発明の概要】
【発明が解決しようとする課題】
【０００４】
従来の消火栓装置においては、遠隔開閉手段の操作部が消火栓箱内のホースバケットの消火器収納スペースと反対側に取り付けられていたので、消火栓箱の幅寸法を変えることなく、ホースバケットの幅寸法を広げることができない。そこで、所定長さの消火用ホースをホースバケットに収納するには、ホースバケットの奥行き寸法を大きくして、消火用ホースの巻き数を多くする必要があり、消火栓箱の奥行き寸法が大きくなる。さらに、従来の消火栓装置においては、消火用ホースの先端に設けられた消火用ノズルがホースバケットの前面に取り付けられていたので、その分消火栓箱の奥行き寸法が大きくなる。
【０００５】
このように、従来の消火栓装置では、消火栓箱の奥行き寸法が大きくなるので、トンネルの側壁に凹設される側壁凹部の深さを深くする必要があり、消火栓装置の据え付けコストが増大するという課題があった。
【０００６】
この発明は、上記の課題を解決するためになされたものであり、消火用ノズルおよび開閉弁用の操作部とホースバケットの消火栓本体内での配置を工夫して、消火栓本体の幅寸法を変えることなくホースバケットの幅寸法を大きくできるようにし、消火栓本体の奥行き寸法の縮小を図り、据え付けコストを低減できる消火栓装置を得ることを目的とする。
【課題を解決するための手段】
【０００７】
この発明による消火栓装置は、前面に開口する箱体および上記箱体の前面開口を塞口する前面パネルを備え、ホースバケットに内巻き式に収納された消火用ホースが収納された消火栓本体と、上記消火栓本体外に設けられる配水本管の分岐部に配設され、開閉弁を内蔵する消火栓弁ユニットと、上記消火栓弁ユニットと上記消火用ホースを接続する消火用水の供給配管と、上記消火栓本体内に配設され、上記開閉弁を開閉するために操作される操作部と、を備えている。上記消火栓本体は、上記前面パネルに取り付けられて上記消火用ホースの収納スペースを開閉する消火栓扉を備え、上記消火用ホースの先端に装着された消火用ノズルと上記操作部が、奥行き方向から見て、上記ホースバケットに内巻き式に収納された上記消火用ホースの内側に位置するように、上記消火栓扉の裏面に取り付けられている。
【発明の効果】
【０００８】
この発明によれば、操作部が消火栓扉に取り付けられているので、ホースバケットの幅寸法を広げることができる。これにより、消火用ホースの巻き数を少なくでき、消火栓本体の奥行き寸法を縮小できる。
また、消火栓扉の裏面に取り付けられた消火用ノズルと操作部が、奥行き方向から見て、ホースバケットに内巻き式に収納された消火用ホースの内側に位置している。これにより、ホースバケットに内巻き式に収納された消火用ホースが前面パネルに接近するように箱体の奥行きを縮小でき、消火栓本体の奥行き寸法を縮小できる。
したがって、消火栓本体を設置するための箱抜きの深さを浅くでき、据え付けコストを低減できる。
【図面の簡単な説明】
【０００９】
【図１】この発明の一実施の形態に係る消火栓装置を示す正面図である。
【図２】この発明の一実施の形態に係る消火栓装置を示す上面図である。
【図３】この発明の一実施の形態に係る消火栓装置の設置状態を示す側断面図である。
【図４】この発明の一実施の形態に係る消火栓装置の消火栓扉開放状態を示す正面図である。
【図５】この発明の一実施の形態に係る消火栓装置における消火栓弁ユニットを示す上面図である。
【図６】この発明の一実施の形態に係る消火栓装置における遠隔開閉手段を構成する操作部を示す上面図である。
【図７】この発明の一実施の形態に係る消火栓装置における遠隔開閉手段を構成する受動部を説明する図である。
【図８】この発明の一実施の形態に係る消火栓装置における遠隔開閉手段の受動部を消火栓弁ユニットに取り付けた状態を説明する図である。
【発明を実施するための形態】
【００１０】
以下、本発明の消火栓装置の好適な実施の形態につき図面を用いて説明する。
【００１１】
図１はこの発明の一実施の形態に係る消火栓装置を示す正面図、図２はこの発明の一実施の形態に係る消火栓装置を示す上面図、図３はこの発明の一実施の形態に係る消火栓装置の設置状態を示す側断面図、図４はこの発明の一実施の形態に係る消火栓装置の消火栓扉開放状態を示す正面図、図５はこの発明の一実施の形態に係る消火栓装置における消火栓弁ユニットを示す上面図、図６はこの発明の一実施の形態に係る消火栓装置における遠隔開閉手段を構成する操作部を示す上面図、図７はこの発明の一実施の形態に係る消火栓装置における遠隔開閉手段を構成する受動部を説明する図であり、図７の（ａ）は上面図、図７の（ｂ）は断面図である。図８はこの発明の一実施の形態に係る消火栓装置における遠隔開閉手段の受動部を消火栓弁ユニットに取り付けた状態を説明する図である。なお、図６から図８では、説明の便宜上、ボックスのカバーを外した状態を示している。
【００１２】
図１から図４において、トンネルのコンクリート躯体１が車線(図示せず)に対して蒲鉾状に構築され、監視員通路２が路肩の一方に所定の高さに構築されている。監視員通路２の下部には、ダクト３が形成され、配水本管５、配水本管５から分岐する分岐管６、分岐管６に結合された接続配管７、接続配管７に接続された止水弁８などが敷設されている。消火栓装置１０は、トンネルのコンクリート躯体１の監視員通路２、或いは車線（図示せず）から操作可能な壁面に凹設された箱抜き４内に設置された消火栓本体１１と、ダクト３内で配水本管５から分岐する分岐管６に接続配管７および止水弁８を介して接続される消火栓弁ユニット３０と、消火栓本体１１側から消火栓弁ユニット３０を開閉操作する遠隔開閉手段４０と、を備える。
【００１３】
消火栓本体１１は、前面に開口する直方体の箱形に作製された箱体１２と、箱体１２の前面を覆う前面パネル１３と、からなる消火栓箱を備えている。消火栓箱の内部には、先端に消火用ノズル１５ａを有する消火用ホース１５、消火用ホース１５を内巻き式に収納するホースバケット１６、消火器１７、継ぎ部材２４、各種電気機器（図示せず）などが収納されている。この箱体１２は、箱抜き４の床面に固定されるベース枠１４にボルト締めなどによって固定される。
【００１４】
ここでは、消火器１７が消火栓箱の内部の左側のスペースに収納され、残るスペースが消火用ホース収納スペースとなる。そして、継ぎ部材２４は、消火用ホース収納スペースのホースバケット１６の右側に配設され、消火用ホース１５が接続されるとともに、供給配管である接続用ホース２５が接続される。接続用ホース２５は、消火用ホース１５と同じ材料で作製されたホース、つまり保形ゴム引布ホースであり、消火栓弁ユニット３０の継ぎ手部３４（図５）と継ぎ部材２４とを接続し、消火用水を消火用ホース１５に供給する。
【００１５】
前面パネル１３には、消火用ホース収納スペースに面する横長の開口部１３ａと消火器収納スペースに面する縦長の開口部１３ｂが設けられている。そして、前に倒れる前倒式の消火栓扉１８が横長の開口部１３ａに取り付けられ、横開き式の消火器扉２０が縦長の開口部１３ｂに取り付けられている。横長の開口部１３ａは、図４に示されるように、消火栓扉１８の開放時に、消火栓扉１８の上端部が、前面パネル１３の下端部と略同じ高さに位置するように、前面パネル１３に設けられている。なお、前面パネル１３は一枚のパネルで構成されているが、例えば、左右に分割された２枚のパネルで構成されてもよい。
【００１６】
消火栓扉１８は、下端を蝶番で連結されて、横長の開口部１３ａを開閉可能に前面パネル１３に取り付けられている。消火栓扉１８の裏面には、消火用ノズル１５ａと、後述する遠隔開閉手段４０の操作部４１とが、消火栓箱の奥行き方向から見て、ホースバケット１６の内側（具体的には、ホースバケット１６に内巻き式に収納された消火用ホース１５の内側。言い換えれば、ホースバケット１６のホース引出口の内側）に位置するように取り付けられている。さらに、透明なプラスチック材料などで作製された平板状の窓部１８ａが、消火栓扉１８の一部に形成され、外側から、消火用ノズル１５ａおよび操作部４１の開閉レバー４５を目視確認できるようになっている。
【００１７】
この消火栓扉１８は、例えば、磁石の磁力により閉状態が維持されており、ハンドル１９を手前に引くことで磁石の磁力による結合を解き、前傾方向に回動して垂れ下がって開口部１３ａを開放する。
【００１８】
消火器扉２０は、左側端部を蝶番で連結されて、縦長の開口部１３ｂを開口可能に前面パネル１３に取り付けられる。また、消火器扉２０は、消火器収納スペースの消火器１７の設置位置に対応する膨出部２０ａを有し、消火器扉２０を閉じたときに、消火器１７の胴部の消火栓箱の奥行き方向の前方に位置する部分が、膨出部２０ａ内に収められている。また、膨出部２０ａは、透明なプラスチック材料などで作製され、外側から消火器１７を目視確認できるようになっている。この消火器扉２０は、例えば、磁石の磁力により閉状態が維持されており、ハンドル２１を手前に引くことで磁石の磁力による結合を解き、開口部１３ｂを開放し、使用者が消火器１７を持って消火活動できるようになっている。
また、消火栓扉１８と消火器扉２０の間には、表示灯２２、発信機２３などが取り付けられている。
【００１９】
消火栓弁ユニット３０は、図５に示されるように、開閉弁３１と、開閉弁３１の二次側に配置されて、所定圧の消火用水を供給する自動調圧弁３２と、開閉弁３１の二次側に配置されて、非放水時の無加圧の消火用水を排出する自動排水弁３３と、接続用ホース２５が接続される継ぎ手部３４と、を備える。さらに、開閉腕３６が、開閉弁３１の開閉軸３５に固定され、開閉軸３５と供回り可能に構成されている。開閉腕３６は、開閉軸３５から径方向に延び出ており、後述する連結ピン５３が嵌め込まれる連結穴３７が開閉腕３６の先端側に形成されている。そして、消火栓弁ユニット３０は、開閉弁３１を止水弁８および接続配管７を介して分岐管６に接続され、配水本管５の分岐部に配設される。
【００２０】
遠隔開閉手段４０は、消火栓扉１８の裏面に配設される操作部４１と、消火栓弁ユニット３０に配設されて、開閉弁３１の開閉軸３５を回動する受動部４６と、操作部４１の動きを受動部４６に伝達する伝達部５４と、を備える。
【００２１】
操作部４１は、図６に示されるように、操作軸４３を操作側筐体であるボックス４２に軸支し、操作側プーリ４４を操作軸４３に固定し、開閉レバー４５を操作側プーリ４４に固定し、開閉レバー４５の操作により、操作側プーリ４４を操作軸４３周りに回動可能に構成されている。開閉レバー４５は、消火栓扉１８の扉面と平行に回動可能に構成されている。
【００２２】
受動部４６は、図７に示されるように、受動軸４８を受動側筐体であるボックス４７の底板に貫通状態で軸支し、受動側プーリ４９を受動軸４８のボックス４７内の端部に固定し、動力伝達腕５０を受動軸４８のボックス４７からの突出部に固定し、受動側プーリ４９および動力伝達腕５０が受動軸４８と供回り可能に構成されている。嵌合凹部５１が受動軸４８のボックス４７からの突出端の軸心位置に凹設されている。動力伝達腕５０は、受動軸４８から径方向に延び出ており、連結ピン５３が嵌め込まれる連結穴５２が動力伝達腕５０の先端側に形成されている。
【００２３】
伝達部５４は、アウターワイヤ５５と、アウターワイヤ５５内に通されたインナーワイヤ５６と、から構成されている。アウターワイヤ５５は、操作部４１側では、アウターワイヤ５５の一端部に設けられた雄ねじ部５７に螺着されたナット５８，５９でボックス４２の側壁を挟み込んで取り付けられ、受動部４６側では、アウターワイヤ５５の他端部に設けられた雄ねじ部６０に螺着されたナット６１，６２でボックス４７の側壁を挟み込んで取り付けられている。そして、インナーワイヤ５６は、アウターワイヤ５５内に通されて無端状に構成され、操作部４１側で、操作側プーリ４４に巻き掛けられて操作側プーリ４４に固定され、受動部４６側で、受動側プーリ４９に巻き掛けられて受動側プーリ４９に固定される。これにより、インナーワイヤ５６は、アウターワイヤ５５により弛みが規制され、操作側プーリ４４と受動側プーリ４９とに掛け渡され、操作側プーリ４４の回動トルクを受動側プーリ４９に伝達する。
【００２４】
このように構成された遠隔開閉手段４０は、図４に示されるように、操作部４１がボックス４２を消火栓扉１８の裏面に固定して消火栓扉１８に取り付けられ、受動部４６が開閉弁３１に取り付けられ、アウターワイヤ５５が操作部４１から引き出され、開口部１３ａ内に引き込まれ、消火用ホース収納スペース内を下降してダクト３内に導かれ、受動部４６に連結される。
【００２５】
受動部４６は、図８に示されるように、嵌合凹部５１内に開閉軸３５の突出端を嵌め込んで、開閉弁３１に装着される。そして、動力伝達腕５０を開閉腕３６に重ね合わせ、連結ピン５３を連結穴５２，３７に差し込んで、動力伝達腕５０と開閉腕３６とを連結する。さらに、受動部４６のボックス４７の底板を開閉弁３１のフランジ部３１ａにボルト（図示せず）で締着固定して、受動部４６が消火栓弁ユニット３０に取り付けられる。
【００２６】
このように構成された消火栓装置１０では、使用者が、ハンドル１９を手前に引くことで、消火栓扉１８が前傾方向に回動して垂れ下がって開口部１３ａを開放する。そこで、使用者が、操作部４１の開閉レバー４５を、図４に示す閉位置から下方向の開位置に回す。この開閉レバー４５の回動トルクが、操作側プーリ４４、インナーワイヤ５６、受動側プーリ４９および動力伝達腕５０を介して開閉腕３６に伝達され、開閉弁３１が開放される。これにより、消火用水が配水本管５から消火栓弁ユニット３０および接続用ホース２５を介して消火用ホース１５に供給される。そして、使用者は、消火用ノズル１５ａを持って消火用ホース１５を引き出しながら火災発生現場に向かい、消火用ノズル１５ａから放水して消火活動を行う。
【００２７】
この発明では、消火栓弁ユニット３０が消火栓本体１１から離れたダクト３内に配設されているので、消火栓箱内の消火用ホース収納スペース（ホースバケット１６のスペース）を拡大することができる。これにより、ホースバケット１６の幅寸法を広げることができ、所定長さの消火用ホース１５の巻き数が少なくなり、消火栓箱の幅方向寸法を変えることなく、消火栓箱の奥行き寸法を縮小することができる。
【００２８】
また、消火用ノズル１５ａおよび遠隔開閉手段４０の操作部４１が、消火栓箱の奥行き方向から見て、ホースバケット１６の内側に位置するように、消火栓扉１８の裏面に取り付けられている。そこで、ホースバケット１６やホースバケット１６に巻かれた消火用ホース１５が、前面パネル１３に近接するまで箱体１２の奥行きを縮小できる。すなわち、消火栓箱の奥行き寸法を縮小することができる。
【００２９】
このように、この発明よれば、消火栓箱、すなわち消火栓本体１１の幅寸法を変えることなく、奥行き寸法を縮小できるので、消火栓本体１１を設置するための箱抜き４の深さを浅くでき、据え付けコストを削減できる。
【００３０】
また、膨出部２０ａが消火器扉２０の一部に形成され、消火器１７の胴部の消火栓箱の奥行き方向の外側を向く部分が、膨出部２０ａ内に収められている。そこで、前面パネル１３の位置が、膨出部２０ａから、膨出部２０ａの突出分だけ後退し、消火栓本体１１の奥行き寸法が縮小される。なお、図１、２に示されるように、消火器１７が載置される台座２０ｂには、前方に、上方向に折り曲げられたストッパ部２０ｃが設けられて、消火器１７が膨出部２０ａにぶつかって破損するのを防止することができる。
【００３１】
膨出部２０ａが透明部材で作製され、消火器１７が外部から目視確認できるようになっているので、消火器１７が消火栓本体１１に格納されていることを簡易に確認できる。
窓部１８ａが消火栓扉１８に形成され、消火用ノズル１５ａおよび遠隔開閉手段４０の開閉レバー４５が外部から目視確認できるようになっているので、消火用ノズル１５ａおよび遠隔開閉手段４０の開閉レバー４５が消火栓本体１１に格納されていることを簡易に確認できる。
【００３２】
また、開放時、略９０°開放して監視員通路２上に位置する従来の前傾式の消火栓扉には、使用者が載っても破損しないような剛性が求められるので、消火栓扉の板厚を厚くしなければならず、消火栓本体の製造コストが高くなるとともに、重量が重くなり、搬送コストが高くなるという問題がある。この発明では、消火栓扉１８が、前傾方向に略１８０°回動して垂れ下がって開口部１３ａを開放するように前面パネル１３に取り付けられているので、使用者が消火栓扉１８に載るような事態が回避される。そこで、消火栓扉１８の板厚を厚くする必要がないので、消火栓扉１８の軽量化が図られ、製造コストおよび搬送コストを削減することができる。また、消火栓扉１８の板厚を薄くできるので、その分消火栓本体１１の奥行き寸法を縮小できる。さらに、消火栓扉１８の一部に透明なプラスチック材料などで作製された窓部１８ａを設置できる。なお、この発明の消火栓扉として、従来の前傾式の消火栓扉を採用することもできる。
【００３３】
また、消火用ノズル１５ａおよび遠隔開閉手段４０の操作部４１が消火栓扉１８に裏面に装着されているので、消火栓扉１８を開けたときに、使用者が、監視員通路２から、さらには車線側から操作部４１の開閉レバー４５を操作して開閉弁３１を開け、消火用ノズル１５ａを持って消火用ホース１５を引き出しながら火災発生現場に向かい、消火用ノズル１５ａから放水して消火活動ができる。
ここで、消火用ノズル１５ａは、消火栓扉１８の高さ方向の略中央に配置されているので、扉開放時に消火用ホース１５が引き出される量を抑えてばらけるのを防止しつつ、車線側からでも使用者の手が届きやすい。また、開閉レバー４５は、消火栓扉１８の高さ方向の略中央に配置されているので、図４に示す閉位置から下方向の開位置までの操作スペースを確保しつつ、車線側からでも使用者の手が届きやすい。また、ハンドル１９は、消火栓扉１８の高さ方向で略中央に配置されているので、車線側からでも使用者の手が届き、かつ扉開放時に必要な回転モーメントが得られる。
【００３４】
なお、上記実施の形態では、供給配管として、保形ゴム引布ホース（接続用ホース２５）を用いているが、供給配管は、金属配管を用いてもよい。
【符号の説明】
【００３５】
５  配水本管、１０  消火栓装置、１１  消火栓本体、１２  箱体、１３  前面パネル、１５  消火用ホース、１５ａ  消火用ノズル、１６  ホースバケット、１７  消火器、１８  消火栓扉、１８ａ  窓部、２０  消火器扉、２０ａ  膨出部、２５  接続用ホース（供給配管）、３０  消火栓弁ユニット、３１  開閉弁、４１  操作部。
【図１】
2014217646.tif 000003
【図２】
2014217646.tif 000004
【図３】
2014217646.tif 000005
【図４】
2014217646.tif 000006
【図５】
2014217646.tif 000007
【図６】
2014217646.tif 000008
【図７】
2014217646.tif 000009
【図８】
2014217646.tif 000010